(57)【要約】      （修正有）【課題】下部径が同一な飲料容器にも、径が上方に向けて拡大する紙コップのような飲料容器にも共用使用可能な飲料容器用保温・保冷カバーを提供する。【解決手段】保温・保冷性と伸縮性を有する材料を使用して有底円筒状に形成し、円筒部には直径方向に対向する上方開口端２個所から円筒底近くまでを切り離し、切り離した両端間にスライダー８を使用して噛合・分離させるファスナー５を取りつける。円筒内側には両端間をスライダー８操作により分離させてＶ字状に開いたときにその開口部を覆うことのできる大きさの逆三角形状布９を縫いつけておく。【選択図】図４
0003201913.tif 000002
【実用新案登録請求の範囲】
【請求項１】
形状の異なる飲料容器の保温・保冷に使用する飲料容器用保温・保冷カバーであって、  該カバーは保温・保冷性と伸縮性を有する材料を使用して有底円筒状に形成され、円筒部には直径方向に対向する上方開口端２個所から円筒底近くまでを切り離してスライド式ファスナーが取りつけてあり、円筒内側には前記スライド式ファスナーをＶ字状に開いたときにその開口部を覆うことのできる逆三角形状布が縫いつけてあることを特徴とする飲料容器用保温・保冷カバー。
【考案の詳細な説明】
【技術分野】
【０００１】
本考案は、ペットボトル、缶、瓶、紙コップ等に入れられた飲料を保温・保冷するための飲料容器用保温・保冷カバーに関する。
【背景技術】
【０００２】
ジュース、お茶、ミネラルウォータ、コーヒー等の各種飲料が自動販売機、コンビニ等でペットボトル、グラス、紙コップ等に入れた状態で販売されている。これら飲料は冷えた状態、あるいは温めた状態で販売されているが、購入後に持ち歩いた場合や少し時間をおいた場合には外気の影響で飲むまでに常温に近づいてしまい、おいしく頂くことができない。
【０００３】
この問題の解決策として飲料容器がペットボトルの場合については、ペットボトルを保温するボトルカバーが各種提案され（例えば、特許文献１、２、３）、多く販売されている。しかし、これらのカバーは何れも保温・保冷する飲料容器に合わせた形状に形成されているため、寸法の異なる飲料容器には適用できない。太さは同じで高さの異なるペットボトルが存在するので、同じボトルカバーをそれらに共通に使用できれば都合がよい。また、熱いコーヒーの入った上方に向け径が拡大する紙コップの保温にも共通に使用できれば便利である。
【先行技術文献】
【特許文献】
【０００４】
【特許文献１】特開２０００−１４２７８２号公報
【特許文献２】特開２０１４−１１１４６６号公報
【特許文献３】特開２０１２−１１６５５３号公報
【考案の開示】
【考案が解決しようとする課題】
【０００５】
本考案は、こうした背景からなされたもので、その課題は飲料容器用保温・保冷カバーであって、径が同一なペットボトルのような飲料容器にも、径が上方に向けて拡大する紙コップのような飲料容器にも共通に使用可能な保温・保冷カバーを提供することにある。
【課題を解決するための手段】
【０００６】
前記課題を解決するための請求項１に記載の考案は、形状の異なる飲料容器の保温・保冷に使用する飲料容器用保温・保冷カバーであって、該カバーは保温・保冷性と伸縮性を有する材料を使用して有底円筒状に形成され、円筒部には直径方向に対向する上方開口端２個所から円筒底近くまでを切り離してスライド式ファスナーが取りつけてあり、円筒内側には前記スライド式ファスナーをＶ字状に開いたときにその開口部を覆うことのできる逆三角形状布が縫いつけてあることを特徴とする飲料容器用保温・保冷カバーである。
【０００７】
このような構成の保温・保冷カバーは、下部が円筒状の飲料容器を保温・保冷する場合にはスライダーを上端位置にして有底円筒状にしてその中に入れる。上方に向けて径が拡大する形状の大型紙コップ等の飲料容器を保温・保冷する場合には、スライダーを下端位置まで下げてファスナー部をＶ字状に開いてその中に入れる。径が小さい縦長の飲料容器を保温・保冷する場合は、スライダーを中間位置に止めてファスナーの上方部のみをＶ字状に開いてその中に入れる。高さの低い飲料容器を保温・保冷する場合にはスライダーを中間位置に止め、ファスナーの上方部をＶ字状に開いて外側に折り返した形状としてその中に入れる。このようにすることで形状の異なる幾種類もの飲料容器の保温・保冷に使用できる利点を有する。
【図面の簡単な説明】
【０００８】
【図１】本考案に係る飲料容器用保温・保冷カバー１の外形図である。
【図２】下部が円筒状の飲料容器を保温・保冷している状態図である。
【図３】径が上方に向けて拡大する飲料容器を保温・保冷している状態図である。
【図４】スライダー８を最下端にしてファスナー部をＶ字状に開いた状態図である。
【図５】図４のＡ−Ａ線に沿った断面図である。
【図６】スライダー８を中間位置に止めてファスナー５の上方部をＶ字状に開いて保温・保冷している状態図である。
【図７】スライダー８を中間位置に止め、ファスナー５の上方部をＶ字状に開き外側に折り返した形状にして保温・保冷している状態図である。
【考案を実施するための形態】
【０００９】
以下、本考案に係る飲料容器用保温・保冷カバーの一実施形態について図面を参照して説明する。図１の（１）はその飲料容器用保温・保冷カバー１の側面図、図１の（２）は平面図である。本考案の保温・保冷カバー１は、図２に示すように冷蔵庫等で冷やされた円筒状ペットボトル２等の飲料容器を保冷したり、図３に示すように熱いコーヒーを注いだ紙コップ３を保温したり等、形状の異なる飲料容器の保温・保冷に共通に使用できるように構成してある点に特徴がある。
【００１０】
保温・保冷カバー１の基本形状は図１に示すように有底円筒状である。側壁部、底部は保温・保冷性と伸縮性を有する材料で形成してある。そのような材料としては、例えば独立気泡構造のスポンジゴム製シートや厚手の布を使用できる。
【００１１】
構造上の特徴として、側壁円筒部には上方開口において直径方向に対向する２個所の上端から円筒底近くまでを垂直に切り離し、該切り離した両側縁間にスライド式ファスナー５が取りつけてある。即ち、切り離した両側縁間に一対の長尺ファスナーテープ６を縫いつけ、各長尺ファスナーテープ６の側縁に沿ってはファスナーの噛合部分であるエレメント列７が取りつけてある。それら一対のエレメント列７をエレメント列７に沿って摺動するスライダー８にて噛合・分離させることにより切り離した側壁間の開閉を行なうように構成されている。例えば、スライダー８を最上端まで移動させると、側壁は図１に示すように閉じた状態になり保温・保冷カバー１は有底円筒状になる。反対にスライダー８を最下端まで移動させると、図４に示すように側壁は大きなＶ字状に開いた状態になる。スライダー８を中間位置で停止させた場合には、図５に示すように側壁上部だけが小さくＶ字状に開いた状態になる。
【００１２】
円筒内側には、スライダー８を上端より下げた位置に移動させて側壁をＶ字状に開いた状態にしたときにそのＶ字状開口部を覆うことのできる大きさの逆三角形状布９が縫いつけてある。図４の（１）はスライダー８を下端まで下げて側壁をＶ字状に開いた状態の側面図、図４の（２）はその状態を上方から見た平面図である。図５は図４の（２）のＡ−Ａ線に沿った断面図であり、縫いつけられた逆三角形状布９の形状と位置を示している。スライダー８を上端位置にして側壁を閉じた状態では、逆三角形状布９は図１の（２）の平面図に示すように折り畳まれた状態になる。
【００１３】
以上説明した本実施形態の保温・保冷カバー１の使用に際しては、下部が円筒状の飲料容器を保温・保冷する場合には図２に示したようにスライダー８を上端位置にして有底円筒状にしてその中に入れる。また、上方に向けて径が拡大する形状の大型紙コップ等の飲料容器を保温・保冷する場合には、図３に示したようにスライダー８を下端位置まで下げてファスナー５部をＶ字状に開いてその中に入れる。径が小さい縦長の飲料容器を保温・保冷する場合には、図６に示したようにスライダー８を中間位置に止めてファスナー５の上方部のみをＶ字状に開いてその中に入れる。更に、高さの低い飲料容器を保温・保冷する場合には、図７に示したようにスライダー８を中間位置に止め、ファスナー５の上方部をＶ字状に開いて外側に折り返した形状にしてその中に入れる。このようにすることで本実施形態の保温・保冷カバー１は、形状の異なる幾種類もの飲料容器の保温・保冷に使用できる利点を有する。
【符号の説明】
【００１４】
図面中、１は保温・保冷カバー、２、３は飲料容器、５はスライド式ファスナー、６は長尺ファスナーテープ、７はエレメント列、８はスライダー、９は逆三角形状布を示す。
【図１】
0003201913.tif 000003
【図２】
0003201913.tif 000004
【図３】
0003201913.tif 000005
【図４】
0003201913.tif 000006
【図５】
0003201913.tif 000007
【図６】
0003201913.tif 000008
【図７】
0003201913.tif 000009